(57)【要約】【課題】物品の表面に付されている図形と融合性の高いシンボルを利用するコードを提供することである。【解決手段】離散的に配置されたセル群からなるシンボルを提案する。このシンボルは、基準座標位置を表す複数の切り出しマークと、データを表す１個又はそれ以上のデータセル群と、制御情報を表す１個は又はそれ以上のファンクションセル群と、から構成されている。平面上で各セル群が離散的に配置されているので、２次元的な写真や画像の中に共存させることが容易である。【選択図】図１
2008009879.tif 000002
【特許請求の範囲】
【請求項１】
所定のデータを記録する光学式シンボルにおいて、
基準座標位置を表す複数の切り出しマークと、
データを表す１個又はそれ以上のデータセル群と、
制御情報を表す１個は又はそれ以上のファンクションセル群と、
を含み、
前記ファンクションセル群は、前記切り出しマークが表す基準座標に基づき、予め定められた座標位置に配置されていることを特徴とする光学式シンボル。
【請求項２】
一体構成
請求項１記載の光学式シンボルにおいて、
前記ファンクションセル群は、前記切り出しマークと同一の位置に配置され、前記ファンクションセル群と前記切り出しマークとは一体に構成されていることを特徴とする光学式シンボル。
【請求項３】
請求項１記載の光学式シンボルにおいて、
前記セル群は、スペースセルと、前記スペースセルの範囲内に配置された１個又は２個以上のセルと、を含み、
前記各セルには、それぞれ所定の１色が付されており、
前記スペースセルには、前記各セルの彩色には使用されない特定のスペース色が付されていることを特徴とする光学式シンボル。
【請求項４】
請求項３記載の光学式シンボルにおいて、
前記セル群に含まれる各前記セルは、線状に配列されており、隣接する前記セル同士は、異なる色彩が付されていることを特徴とする光学式シンボル。
【請求項５】
請求項４記載の光学式シンボルにおいて、
前記セル群に含まれる各前記セルは、１本又は２本以上の行を構成していることを特徴とする光学式シンボル。
【請求項６】
請求項５記載の光学式シンボルにおいて、
前記「行」中のいずれか１本の行には、アドレスを示すアドレスデータセルが含まれていることを特徴とする光学式シンボル。
【請求項７】
請求項５記載の光学式シンボルにおいて、
前記各「行」には、アドレスを示すアドレスデータセルが前記各行毎に含まれていることを特徴とする光学式シンボル。
【請求項８】
請求項１記載の光学式シンボルにおいて、
前記制御情報は、前記データセル群の位置を予め定められた座標位置から修正する情報を含み、
前記データセル群は、予め定められた座標位置に配置されているか、又は、前記制御情報に基づいて予め定められた座標位置を修正した座標位置に配置されていることを特徴とする光学式シンボル。
【請求項９】
請求項５記載の光学式シンボルにおいて、
前記制御情報は、前記データセル群に含まれる前記各セルが構成する行の数、及び、前記各行に含まれるセルの数を、予め定められた行の数及び行に含まれるセルの数から修正する情報を含み、
前記データセル群中の前記セルは、予め定められた行の数及び行に含まれるセルの数に基づいて配置されているか、又は、前記制御情報に基づいて予め定められた行の数及び行を構成するセルの数を修正した行の数及び行に含まれるセルの数に基づいて配置されていることを特徴とする光学式シンボル。
【請求項１０】
請求項１記載の光学式シンボルにおいて、
前記制御情報は、
データの確からしさを検査する手法であるチェックコードを修正する修正情報、を含み、
前記データセル群は、予め定められたチェックコードによってデータの確からしさを検査されるか、又は、前記修正情報を用いて修正されたチェックコードによってデータの確からしさを検査されることを特徴とする光学式シンボル。
【請求項１１】
請求項１記載の光学式シンボルにおいて、
前記制御情報は、データのデコード手法を修正する修正情報、を含み、
前記セル群は、予め定められたデコード手法でデータに変換されるか、又は、予め定められたデコード手法を前記修正情報で修正したデコード手法でデコードされることを特徴とする光学式シンボル。
【請求項１２】
請求項１記載の光学式シンボルにおいて、
前記制御情報は、データの仕分け規則を修正する修正情報、を含み、
前記セル群は、予め定められた仕分け規則で
内容であるコンテンツデータと、
前記セル群のアドレスを表すアドレスデータと、
前記セル群が表すデータのチェックを行うためのチェックデータと、
に仕分けされるか、
又は、
前記セル群は、前記予め定められた仕分け規則を前記修正情報で修正した仕分け規則で、
前記コンテンツデータと、
前記アドレスデータと、
前記チェックデータと、
に仕分けされることを特徴とする光学式シンボル。
【請求項１３】
請求項３記載の光学式シンボルにおいて、
前記制御情報は、前記スペース色を修正する修正情報、を含み、
前記スペース色は、予め定められた前記特定のスペース色を前記修正情報で修正した色彩であることを特徴とする光学式シンボル。
【請求項１４】
請求項１記載の光学式シンボルにおいて、
前記制御情報は、前記セル群が表すデータを組み合わせる規則を修正する修正情報を含み、
前記各セル群の表すデータを、前記予め決められた組み合わせ規則で組み合わせてその光学式シンボルの最終的なデータが得られるか、
又は、
前記各セル群の表すデータを、前記修正情報によって修正された前記予め決められた組み合わせ規則で組み合わせて最終的なデータが得られることを特徴とする光学式シンボル。
【請求項１５】
請求項１記載の光学式シンボルにおいて、
前記切り出しマークは、予め定められた色彩、形状、寸法、のいずれかの条件、又は全部の条件、を満たすマークであることを特徴とする光学式シンボル。
【請求項１６】
請求項４記載の光学式シンボルにおいて、
隣接する前記各セルに付されている色彩の組み合わせによってデータが表されていることを特徴とする光学式シンボル。
【請求項１７】
同一内容を備えた請求項１記載の光学シンボルを、複数個付した物品であって、
前記複数の光学式シンボルは、{前記切り出しマーク及び前記セル群}以外の領域である背景画像がそれぞれ異なることを特徴とする光学式シンボルが付された物品。
【請求項１８】
請求項１〜請求項１６のいずれかに記載の光学式シンボルが付された物品。
【請求項１９】
請求項１〜請求項１６のいずれかに記載の光学式シンボルを物品に付す方法において、
記録したいデータに基づき前記光学式シンボルを作成する工程と、
前記作成した光学式シンボルを所定の物品に付す工程と、
を含み、
前記付す工程は、前記光学式シンボルを前記物品に印刷する工程と、前記光学式シンボルを物品に刺繍で付する工程と、前記光学式シンボルを描いた粘着シールを前記物品に貼付する工程と、のいずれかの工程を含むことを特徴とする光学式シンボルを物品に付す方法。
【請求項２０】
物品に付された請求項１〜請求項１６のいずれかに記載の光学式シンボルをデコードする方法において、
前記光学式シンボルを撮影し、前記光学式シンボルの画像データを得る工程と、
前記画像データ中から、切り出しマークを認識する工程と、
前記認識した切り出しマークから、前記画像データ中で基準座標を定める工程と、
前記基準座標に基づき、ファンクションセル群を読み取る工程と、
前記基準座標に基づき、データセル群を読み取る工程と、
前記読み取ったデータセル群データのデコードを行う工程と、
前記デコードを行った前記各データセル群のデータを統合する工程と、
を含むことを特徴とする光学式シンボルのデコード方法。
【発明の詳細な説明】
【技術分野】
【０００１】
本発明は、物品に付す情報処理用の光学式コードに関する。特にその光学式コードで用いられる光学式シンボル並びにその光学式シンボルを物品に付す方法及びデコード方法に関する。
【背景技術】
【０００２】
物品に付す情報処理用の光学的に読み取られるシンボルは種々のものが利用されている。例えば、１次元方向の黒と白のパターンで情報を記録するいわゆるバーコードが古くから利用されている。また、２次元方向のパターンを利用したいわゆる２次元バーコードも広く利用されている。例えば「ＱＲコード」と呼ばれる２次元バーコードが記憶容量も多いので広く利用されている。
【０００３】
また、本文において物品とは有体物であればどのようなものであっても良い。必ずしも硬い剛体である必要はなく、食品等の柔らかい物品でも良い。後述するように、本件発明では物品のゆがみや変形に強いシンボルを提案しており、衣服などの柔軟性のある物品も本文における「物品」である。
【０００４】
また、物品の容器や包装もまた物品である。さらに、紙等の平面状、板状の物品も、本文における「物品」である。
【０００５】
なお、本文では、その他、以下の用語を用いている。
【０００６】
コード  ：データをシンボルに表すための規格を言う。規格であることを明示するためにコード体系と称する場合もある。
【０００７】
シンボル：上記規格に基づき、データを変換したものを言う。例えば、一般的なバーコードにおいては、「バーコード」という「規格」に基づきデータを変換したそれぞれの「黒と白のパターン」をシンボル又は「バーコードシンボル」と呼ぶ。
【０００８】
デコード：各シンボルから、そのコードに基づいて元のデータを得る処理をデコードと呼ぶ。
【０００９】
リーダ  ：物品に付されたシンボルを読み取る装置を言う。読み取ったデータは上記デコードの対象となり、デコードの結果元のデータが得られる。
【００１０】
データ  ：シンボルに変換する対象である。一般的には数値データであるが、文字データでも良いし、０と１からなるディジタルデータでも良い。
【００１１】
カラーを利用した光学式コード
光学式コードとして、白と黒だけでなく、赤や青等の有彩色を用いたコード（ここではこのような有彩色を用いたコードを便宜上カラーコードと呼ぶ）も広く提案されている。
【００１２】
通常、カラーを使った（有彩色を使った）光学式コード（体系）は、リーダの色の検知に変化が出ると、対応するデータも変化する可能性が白黒のコードに比べて高くなってしまう。したがって、色の退色、印刷ムラ、照明光などの影響を受けやすいという問題点がある。
【００１３】
また、二次元コード体系は、そのシンボルが付される物品の表面のＸ座標（縦軸）及びＹ座標（横軸）の寸法精度、及び、印刷の寸法精度に大きな影響を受ける。すなわち、物品のゆがみ、コードの印刷ずれ、などに大きく影響される。したがって、一般的に二次元コードには種々の制約がある。
【００１４】
また、従来から知られている光学式コードは、そのシンボルが一塊りになっており、画像と同居させるには、デザイン的に問題があった。
【００１５】
先行特許文献の例
例えば、下記特許文献１には、２次元状のマトリクスを色分けし、さらに色彩見本を表示したマトリクスコード記録紙が開示されている。色彩によって情報量が増えるとされている。
【００１６】
また、下記特許文献２には、色彩ドットを２次元状に配置した情報カードが開示されている。
【００１７】
また、下記特許文献３には、複数の色彩を付したマトリクス式二次元コードが開示されている。大きな容量のデータを具備することができるとされている。
【００１８】
また、下記特許文献４には、３原色の各色の色彩濃度を複数の段階にすることによって、データの収容能力を増やすことができるコードが示されている。
【００１９】
また、下記特許文献５には、プリンタの印刷能力に応じて情報を所定のビット列に分けて、分けたビット列ごとに色を選択して記録する２次元コード及びその作成方法、復元方法が開示されている。
【００２０】
また、下記特許文献６には、一般的な白と黒のバーコードとしても、色彩付のバーコードとしても利用可能なコードが開示されている。
【００２１】
【特許文献１】特開平１０−２８３４４６号公報
【特許文献２】特開２０００−９９６７１号公報
【特許文献３】特開２０００−１２３１３０号公報
【特許文献４】特開２００２−３４２７０２号公報
【特許文献５】特開２００３−１７８２７７号公報
【特許文献６】特開２００４−３２６５８２号公報
【発明の開示】
【発明が解決しようとする課題】
【００２２】
このように、従来から知られているコードは、一塊りのシンボルを使用しているので、物品に付されている写真や図形と共存することは極めて困難であった。
【００２３】
本発明はこのような課題に鑑みなされたものであり、その目的は、物品の表面に付されている図形と融合性の高いシンボルを利用するコードを提供することである。
【課題を解決するための手段】
【００２４】
本発明は、上記目的を達成するために、離散的に配置されたセル群からなるシンボルを提案する。平面状で各セル群が離散的に配置されているので、２次元的な写真や画像の中に共存させることが容易である。
【００２５】
本発明は、具体的には、以下のような手段を採用する。
【００２６】
（１）本発明は、上記課題を解決するために、所定のデータを記録する光学式シンボルにおいて、基準座標位置を表す複数の切り出しマークと、データを表す１個又はそれ以上のデータセル群と、制御情報を表す１個は又はそれ以上のファンクションセル群と、を含み、前記ファンクションセル群は、前記切り出しマークが表す基準座標に基づき、予め定められた座標位置に配置されていることを特徴とする光学式シンボルである。
【００２７】
データセル群が定められた位置に配置されている。配置を自由に定めることができるので、光学式シンボルを付す場所の写真や絵等に融合させやすくなる。
【００２８】
従来の光学式シンボルはいわば「一塊り」のシンボルであるので、写真や絵との融合性に乏しく、美観を損ないやすい。これに対して、本発明の光学式シンボルは１個以上のデータセル群の配置を自由に定めることができるので、絵や写真等と融合性の高いシンボルを得ることができる。
【００２９】
（２）また、本発明は、上記（１）の光学式シンボルにおいて、前記ファンクションセル群は、前記切り出しマークと同一の位置に配置され、前記ファンクションセル群と前記切り出しマークとは一体に構成されていることを特徴とする光学式シンボルである。
【００３０】
（３）また、本発明は、上記（１）の光学式シンボルにおいて、前記セル群は、スペースセルと、前記スペースセルの範囲内に配置された１個又は２個以上のセルと、を含み、前記各セルには、それぞれ所定の１色が付されており、前記スペースセルには、前記各セルの彩色には使用されない特定のスペース色が付されていることを特徴とする光学式シンボルである。
【００３１】
なお、本書面において、単にセル群と言う場合は、データセル群、ファンクションセル群を意味する。
【００３２】
（４）また、本発明は、上記（３）の光学式シンボルにおいて、前記セル群に含まれる各前記セルは、線状に配列されており、隣接する前記セル同士は、異なる色彩が付されていることを特徴とする光学式シンボルである。
【００３３】
このような構成によって、色彩が必ず異なるので、色彩をトレースさえすればセルの認識をすることができる。換言すれば、シンボルの読み取り時に色彩の変化を検出した場合に、隣接したセルに移行したことを知ることができる。
【００３４】
さらに、必ず色彩が変化するので、色彩の遷移によってデータを表現することも可能となる。
【００３５】
なお、線状とは、必ずしも直線状でなくても良く、曲線状でもかまわない。また、読み取り時にセルの追跡できるように連続して連なっていることが好ましい。
【００３６】
（５）また、本発明は、上記（４）の光学式シンボルにおいて、前記セル群に含まれる各前記セルは、１本又は２本以上の行を構成していることを特徴とする光学式シンボルである。
【００３７】
行は１個の場合は、データセル群に形状にある程度制約が出てしまう場合も考えられる。これに対して、２行以上の構成を採用することによって、１行だけの場合に比べて、データセル群の形状の形状自由度を向上させることができる。
【００３８】
（６）また、本発明は、上記（５）記載の光学式シンボルにおいて、前記「行」中のいずれか１本の行には、アドレスを示すアドレスデータセルが含まれていることを特徴とする光学式シンボルである。
【００３９】
このような構成によって、セル群のアドレスを示すことができる。
【００４０】
（７）また、本発明は、上記（５）記載の光学式シンボルにおいて、前記各「行」には、アドレスを示すアドレスデータセルが前記各行毎に含まれていることを特徴とする光学式シンボルである。
【００４１】
このような構成によって、各「行」毎にアドレスを示すことができる。
【００４２】
（８）また、本発明は、上記（１）の光学式シンボルにおいて、前記制御情報は、前記データセル群の位置を予め定められた座標位置から修正する情報を含み、前記データセル群は、予め定められた座標位置に配置されているか、又は、前記制御情報に基づいて予め定められた座標位置を修正した座標位置に配置されていることを特徴とする光学式シンボルである。
【００４３】
このような構成によってデータセル群の位置を修正することができる。
【００４４】
（９）また、本発明は、上記（５）の光学式シンボルにおいて、前記制御情報は、前記データセル群に含まれる前記各セルが構成する行の数、及び、前記各行に含まれるセルの数を、予め定められた行の数及び行に含まれるセルの数から修正する情報を含み、前記データセル群中の前記セルは、予め定められた行の数及び行に含まれるセルの数に基づいて配置されているか、又は、前記制御情報に基づいて予め定められた行の数及び行を構成するセルの数を修正した行の数及び行に含まれるセルの数に基づいて配置されていることを特徴とする光学式シンボルである。
【００４５】
このような構成によってデータセル群の構成を修正することができる。
【００４６】
（１０）また、本発明は、上記（１）の光学式シンボルにおいて、前記制御情報は、データの確からしさを検査する手法であるチェックコードを修正する修正情報、を含み、前記データセル群は、予め定められたチェックコードによってデータの確からしさを検査されるか、又は、前記修正情報を用いて修正されたチェックコードによってデータの確からしさを検査されることを特徴とする光学式シンボルである
このような構成によってデータセル群の確からしさを検査する手法であるチェックコードを修正することができる。
【００４７】
（１１）また、本発明は、上記（１）の光学式シンボルにおいて、前記制御情報は、データのデコード手法を修正する修正情報、を含み、前記セル群は、予め定められたデコード手法でデータに変換されるか、又は、予め定められたデコード手法を前記修正情報で修正したデコード手法でデコードされることを特徴とする光学式シンボルである。
【００４８】
このような構成によってデータのデコード手法を修正することができる。
【００４９】
（１２）また、本発明は、上記（１）の光学式シンボルにおいて、前記制御情報は、データの仕分け規則を修正する修正情報、を含み、前記セル群は、予め定められた仕分け規則で内容であるコンテンツデータと、前記セル群のアドレスを表すアドレスデータと、前記セル群が表すデータのチェックを行うためのチェックデータと、に仕分けされるか、又は、前記セル群は、前記予め定められた仕分け規則を前記修正情報で修正した仕分け規則で、前記コンテンツデータと、前記アドレスデータと、前記チェックデータと、に仕分けされることを特徴とする光学式シンボルである。
【００５０】
このような構成によってデータの仕分け規則を修正することができる。
【００５１】
（１３）また、本発明は、上記（３）の光学式シンボルにおいて、前記制御情報は、前記スペース色を修正する修正情報、を含み、前記スペース色は、予め定められた前記特定のスペース色を前記修正情報で修正した色彩であることを特徴とする光学式シンボルである。
【００５２】
このような構成によってスペース色を修正することができる。
【００５３】
（１４）また、本発明は、上記（１）の光学式シンボルにおいて、前記制御情報は、前記セル群が表すデータを組み合わせる規則を修正する修正情報を含み、前記各セル群の表すデータを、前記予め決められた組み合わせ規則で組み合わせてその光学式シンボルの最終的なデータが得られるか、又は、前記各セル群の表すデータを、前記修正情報によって修正された前記予め決められた組み合わせ規則で組み合わせて最終的なデータが得られることを特徴とする光学式シンボルである。
【００５４】
このような構成によってデータの組み合わせ規則を修正することができる。
【００５５】
（１５）また、本発明は、上記（１）の光学式シンボルにおいて、前記切り出しマークは、予め定められた色彩、形状、寸法、のいずれかの条件、又は全部の条件、を満たすマークであることを特徴とする光学式シンボルである。
【００５６】
（１６）また、本発明は、上記（４）記載の光学式シンボルにおいて、隣接する前記各セルに付されている色彩の組み合わせによってデータが表されていることを特徴とする光学式シンボルである。
【００５７】
このような構成によって、色彩の遷移によってデータを表現することができる。
【００５８】
（１７）本発明は、上記課題を解決するために、同一内容を備えた請求項１記載の光学シンボルを、複数個付した物品であって、前記複数の光学式シンボルは、{前記切り出しマーク及び前記セル群}以外の領域である背景画像がそれぞれ異なることを特徴とする光学式シンボルが付された物品である。
【００５９】
背景画像とは、シンボル群が付された物品の表面の写真や絵等を意味する。このように同一内容の光学式シンボルが複数個付されていることによって、データが正確に読み取られる確率を向上させることができる。
【００６０】
（１８）また、本発明は、上記（１）〜（１６）のいずれかの光学式シンボルが付された物品である。
【００６１】
（１９）また、本発明は、上記（１）〜（１６）のいずれかに記載の光学式シンボルを物品に付す方法において、記録したいデータに基づき前記光学式シンボルを作成する工程と、前記作成した光学式シンボルを所定の物品に付す工程と、を含み、前記付す工程は、前記光学式シンボルを前記物品に印刷する工程と、前記光学式シンボルを物品に刺繍で付する工程と、前記光学式シンボルを描いた粘着シールを前記物品に貼付する工程と、のいずれかの工程を含むことを特徴とする光学式シンボルを物品に付す方法である。
【００６２】
（２０）また、本発明は、物品に付された（１）〜（１６）のいずれかに記載の光学式シンボルをデコードする方法において、前記光学式シンボルを撮影し、前記光学式シンボルの画像データを得る工程と、前記画像データ中から、切り出しマークを認識する工程と、前記認識した切り出しマークから、前記画像データ中で基準座標を定める工程と、前記基準座標に基づき、ファンクションセル群を読み取る工程と、前記基準座標に基づき、データセル群を読み取る工程と、前記読み取ったデータセル群データのデコードを行う工程と、前記デコードを行った前記各データセル群のデータを統合する工程と、を含むことを特徴とする光学式シンボルのデコード方法である。
【発明の効果】
【００６３】
本発明では、シンボル中に含まれるセル群の位置の自由度が高いので、写真や図柄等との親和性が高く、デザイン性を損ないにくいシンボルが得られる。
【００６４】
その結果、シンボルが付される物品のデザイン性を損なわない光学式のコード体系を実現することができる。
【００６５】
また、シンボルを構成するセル群の相対的な位置関係の自由度が高いので、表面が柔軟な物品にも使用することができる。
【００６６】
例えば、柔らかい肉等の食品に食用色素を用いて直接シンボルを印字することが可能である。その他、布や柔らかい物品に直接印字することが可能である。
【００６７】
従来の光学式バーコードでは、シールを貼る等の処理によってシンボルを物品に付しており、シールを貼り替える等のデータの改ざんの恐れが少なくない。これに対して、本発明によれば、柔軟性のある物品でもシンボルの直接印字が可能となるので、このシンボルを他のシンボルに付け直すことが極めて困難である。その結果、本発明によれば、データの改ざんを未然に防止することができる。
【００６８】
さらに、本発明によれば、セル群中のいずれかの行にアドレスデータセルを設けたので、セル群のアドレスを容易に示すことが可能である。
【００６９】
また、他の本発明によれば、セル群中の各行毎にアドレスデータセルを設けているので、各行毎にアドレスを容易に示すことが可能である。
【発明を実施するための最良の形態】
【００７０】
以下、本発明の好適な実施の形態を図面に基づき説明する。
【００７１】
本実施の形態では、写真や絵と融合性が高い新しい光学式シンボルを用いた光学式コードを説明する。コード（又はコード体系）とは、上述したように物品に付すシンボル及びその作成方法・装置、読み取り方法・装置全体のコード体系を意味し、作成や読み取りの規約や基準を表すものである。このコードで用いる、物品に付す光学式のマークを、光学式シンボル、又は単にシンボルと呼ぶ。
【００７２】
Ａ．ピクチャーシンボル
図１には、本実施の形態に係る新しいシンボルの説明図が示されている。このシンボルは写真や絵との融合性が高いので、特にピクチャーシンボル１０と呼ぶ。
【００７３】
このピクチャーシンボル１０は、図１に示すように、基本的には、分散して配置された複数のマーク（切り出しマーク１２、データセル群１６、ファンクションセル群１４）から構成されている。この結果、物品の表面に絵や写真が設けられている場合でも、その写真等にマークを分散させることによって、ピクチャーシンボル１０を滑らかに写真等の中に融合させることが可能となる。
【００７４】
ピクチャーシンボルの構成
図１に示すように、ピクチャーシンボル１０は、３個の切り出しマーク１２ａ、１２ｂ、１２ｃを備えている。これらは、ピクチャーシンボル１０の位置決めのためのマークであり、座標の基準となるものである。読み取り時には、これら３個の切り出しマークを検知することによってピクチャーシンボル１０の位置を検知することができる。
【００７５】
また、図１に示すように、ピクチャーシンボル１０は、ファンクションセル群１４を備えている。図１に示す例では、単独のファンクションセル群１４が１個の例を示しているが、２個以上存在してもかまわない。また、ファンクションセル群１４を切り出しマーク１２と融合し一体化する構成も好ましい。このような一体化した例は、後に詳述する。
【００７６】
また、図１に示すように、ピクチャーシンボル１０は、データセル群１６ａ、１６ｂ、１６ｃを備えている。図１に示す例では、データセル群１６が３個の例を示しているが、１個以上であれば何個存在してもかまわない。
【００７７】
このように、本実施の形態において特徴的なことは、ピクチャーシンボル１０が一塊りのマークではなく、複数の分散して配置されたマークから構成されていることである。これによって、既存の写真等の中に、写真等の美やデザインに悪影響をほとんど与えずにシンボルを付す（融合させる）ことが可能となる。
【００７８】
以下、順次、各部の説明を行う。
【００７９】
（１）データセル群
データセル群１６は、データを格納する領域であり、その詳細な説明図が図２に示されている。この図２に示すように、データセル群１６は、複数のセル１８を含んでいる。また、データセル群１６は、セル１８を覆うスペースセル２０を含んでいる。
【００８０】
セル１８は、所定の色彩が付されている領域であり、この色彩によってデータを表す。
【００８１】
図２に示す例ではセル１８は１２領域存在し、上の行の８領域と、下の行の４領域存在する。各セル１８には、色彩が付され、それぞれ数値を表す。本実施の形態では、７色で数値を表している。
【００８２】
無彩色（地の色）：未使用
シアン（ｃ）    ：６
マゼンタ（ｍ）  ：５
イエロー（ｙ）  ：４
レッド（ｒ）    ：３
グリーン（ｇ）  ：２
ブルー（ｂ）    ：１
ブラック（ｋ）  ：０
さらに、本実施の形態においては、隣接するセル１８間で同一の色が連続しないように、色から色への変化でデータを表している。具体的には隣接する色の上記数値の差−１で、データを表すのである。計算値が負になった場合は、６を加算する。
【００８３】
シアン（６）−マゼンタ（５）−１  ＝  ０（データの値）
を表す。
【００８４】
シアン（６）−イエロー（４）−１  ＝  １（データの値）
シアン（６）−レッド（３）−１    ＝  ２（データの値）
シアン（６）−グリーン（２）−１  ＝  ３（データの値）
シアン（６）−ブルー（１）−１    ＝  ４（データの値）
シアン（６）−ブラック（０）−１  ＝  ５（データの値）
このような手法で、０から５の数値による六進数でデータを表現することができる。同一の色が出現しないようにするために、７色を用いていながら、６種類のデータのみを表している。
【００８５】
上では、最初の色がシアンの例を述べたが、同様の原理で数値を順次表すことができる。例えば、最初の色がイエローの場合は、
イエロー（４）−マゼンタ（５）−１  ＝  ４（データの値）
イエロー（４）−イエロー（４）−１  ＝  ５（データの値）
イエロー（４）−レッド（３）−１    ＝  ０（データの値）
イエロー（４）−グリーン（２）−１  ＝  １（データの値）
イエロー（４）−ブルー（１）−１    ＝  ２（データの値）
イエロー（４）−ブラック（０）−１  ＝  ３（データの値）
となる。計算値が負の場合は、適宜「６」を加算し、０〜５の値にする。
【００８６】
本実施の形態では、図２に示すように、第１行が８個のセル１８からなり、第２行が４個のセル１８から構成されている。第１行の先頭の３個のセル１８は、アドレスデータセルと呼ばれ、そのデータセル１６のアドレスが記されている。
【００８７】
さらに、スペースセル２０にはスペース色と呼ばれる色彩が付されている。ここで、スペースセル２０は、上述したようなセル１８に付されるシアン（ｃ）、マゼンタ（ｍ）、イエロー（ｙ）、レッド（ｒ）、グリーン（ｇ）、ブルー（ｂ）、ブラック（ｋ）、とは異なる他の色彩が付される。これによって読み取り時に、そこがスペースセルであることを容易に識別することができ、その結果、データセル群１６の存在を的確に把握することができる。
【００８８】
後述するように、本実施の形態では、データセル群１６を分散して配置している。その座標位置は予め定めておき、読み取り時にその座標位置近傍でデータセル群１６等を探すことになるが、その際、スペース色の検知によってデータセル群１６の存在を速やかに知ることができるのである。スペース色としては、上記７色とは異なる、白や、灰色、乳白色、アイボリー、ダークグリーン等が用いられる。
【００８９】
アドレスデータセル（３個又は６個）  
アドレスは２種類の例が存在する。
【００９０】
第１の例（図２）
第１の例においては、アドレスは、ピクチャーシンボル１０内でのデータセル１６の番号であり、１から順次振られている。例えば、３個のデータセル１６が１個のピクチャーシンボル１０中に存在する場合は、アドレスは「０」、「１」、「２」となる。これらを六進数で表した数値が、アドレスデータセルに書き込まれている。例えば、この３個のアドレスデータセルが「シアンＣ」「マゼンタＭ」「イエローＹ」である場合は、
シアン（６）−マゼンタ（５）−１  ＝  ０（データの値）
マゼンタ（５）−イエロー（４）−１  ＝  ０（データの値）
となり、アドレスは「００」（六進数）となる。
【００９１】
第２の例（図３）
第２の例においては、アドレスは、ピクチャーシンボル１０内にある各「行」の番号であり、１から順次振られている。例えば、ある行の３個のアドレスデータセルが「シアンＣ」「マゼンタＭ」「イエローＹ」である場合（図３の上行参照）は、
シアン（６）−マゼンタ（５）−１  ＝  ０（データの値）
マゼンタ（５）−イエロー（４）−１  ＝  ０（データの値）
となり、アドレスは「００」（六進数）となる。
【００９２】
また、例えば、他の行の３個のアドレスデータセルが「マゼンタＭ」「シアンＣ」「イエローＹ」である場合（図３の下行参照）は、
マゼンタ（５）−シアン（６）−１  ＝  ４（データの値）
シアン（６）−イエロー（４）−１  ＝  １（データの値）
となり、アドレスは「４１」（六進数）となる。
【００９３】
コンテンツデータセル（７個）
第１行の後半５セルと、第２行の先頭２セル、合計７セルが表記したいデータを格納するコンテンツデータセルである。
【００９４】
例えば、この７個のコンテンツデータセルが「レッドＲ」「グリーンＧ」「ブルーＢ」「シアンＣ」「イエローＹ」「レッドＲ」「シアンＣ」である場合、最初の「レッドＲ」の前にあるイエローＹ（アドレスデータセルの最後のセルの色彩）をも用いて、
イエロー（４）−レッド（３）−１＝０（データの値）
レッド（３）−グリーン（２）−１＝０（データの値）
グリーン（２）−ブルー（１）−１＝０（データの値）
ブルー（１）−シアン（６）−１  ＝０（データの値）
シアン（６）−イエロー（４）−１＝１（データの値）
イエロー（４）−レッド（３）−１＝０（データの値）
レッド（３）−シアン（６）−１  ＝２（データの値）
となり、コンテンツデータは、「００００１０２」（六進数）となる。
【００９５】
チェックデータセル（２個）
第２行の後半２セルは、データの確からしさを表すチェックデータを格納するチェックデータセルである。
【００９６】
例えば、この２個のチェックデータセルが「マゼンタＭ」「イエローＹ」である場合、最初の「マゼンタＭ」の前にあるシアンＣ（コンテンツデータセルの最後のセルの色彩）をも用いて、
シアン（６）−マゼンタ（５）−１＝０（データの値）
マゼンタ（５）−イエロー（４）−１＝０（データの値）
となり、チェックデータは、「００」（六進数）となる。
【００９７】
本実施の形態で用いるチェックデータは従来から知られている種々のチェックデータを利用することができる。例えばＣＲＣ等が好適である。
【００９８】
データセル群１６の形態は種々のものを利用することができる。図２では２行の例を示したが、１行でも良いし、３行以上でも良い。また、１行の長さも適宜好ましい長さにすることができる。
【００９９】
（２）ファンクションセル群
ファンクションセル群１４は、種々の制御コードを格納する領域であり、その詳細な説明図が図４に示されている。この図４に示すように、ファンクションセル群１４は、複数のセル２８を含んでいる。また、ファンクションセル群１４は、セル２８を覆うスペースセル４０を含んでいる。スペースセル４０は、ある特定の１色を割り当てている。この特定の色によってスペースセル４０であることが認識可能である。
【０１００】
セル２８は、所定の色彩が付されている領域であり、この色彩によってデータを表す。
【０１０１】
図４に示す例ではセル２８は２領域存在する。各セル２８には、色彩が付されて、その色彩の組み合わせによって種々の事項を表している。
【０１０２】
本実施の形態において特徴的なことは、このファンクションセル群１４が示す色彩の組み合わせによってルールコード、チェックコード、その他種々のパラメータが修正・規定されることである。
【０１０３】
ここで、ルールコードとは、本実施の形態のコード体系の読み取り手順の体系を意味する。また、チェックコードとは、コンテンツデータの確からしさを表すための技術体系を表す。
【０１０４】
修正の例
（２−１）データセル群１６の位置の修正
データセル群１６の位置は、切り出しマーク１２を基準にして予め定められている。しかし、ファンクションセル群１４の色彩の組み合わせによってこの位置を修正することができる。
【０１０５】
その様子が図５に示されている。図５には、ファンクションセル群１４の色彩の組み合わせによって、データセル群１６の位置が修正される規則を定めた表が示されている。
【０１０６】
この表は、データセル群１６が３個ある場合の表の一例である。３個のデータセル群１６の位置は、切り出しマーク１２によって定められる基準座標に対して、それぞれ（ｘ１、ｙ１）、（ｘ２、ｙ２）、（ｘ３、ｙ３）と定められている（デフォルト値）。
【０１０７】
このデフォルト値に対して、セル２８ａとセル２８ｂの色彩の組み合わせによって、図５の表のように修正が加えられるのである。
【０１０８】
図５の表に示すように、セル２８ａとセル２８ｂとの色彩が「レッド：グリーン」の場合は、修正はない。その他は、以下のように修正される。
【０１０９】
「レッド  ：ブルー」  ：座標値は全て＋１される。  
「グリーン：レッド」  ：座標値は全て−１される。  
「グリーン：ブルー」  ：座標値は全て＋２される。  
「ブルー  ：レッド」  ：座標値は全て−２される。  
「ブルー：グリーン」  ：ｘ座標値は全て１．５×される。ｙ座標値は不変である。  
なお、「レッド：レッド」「グリーン：グリーン」「ブルー：ブルー」のように同じ色の連続は使用していない。
【０１１０】
（２−２）データセル群１６の構成の修正
データセル群１６の構成は、基本的には予め定められ、そのデフォルトの構成が用いられる。しかし、ファンクションセル群１４の色彩の組み合わせによってこの構成を修正することができる。
【０１１１】
その様子が図６に示されている。図６には、ファンクションセル群１４の色彩の組み合わせによって、データセル群１６の構成が修正される規則を定めた表が示されている。
【０１１２】
この表は、データセル群１６が３個ある場合の表の一例である。３個のデータセル群１６を、データセル群１６ａ、１６ｂ、１６ｃと呼ぶ。これらのデータセル群１６のデフォルトの構成は、それぞれ、１列５個、１列４個、２列（３個＋３個）である。
【０１１３】
セル２８ａとセル２８ｂとの色彩が「レッド：グリーン」又は「レッド：ブルー」の場合は、修正はなく、上記デフォルト値がそのまま用いられる。つまり、セル２８ａがレッドの場合は修正はない。その他は、以下のように修正される。    
「グリーン：レッド」  ：データセル群１６ａが２列（３個＋４個）、データセル群１６ｂが１列４個、データセル群１６ｃが１列２個と修正される。  
「グリーン：ブルー」  ：データセル群１６ａが１列５個、データセル群１６ｂが２列（３個＋３個）、データセル群１６ｃが１列７個と修正される。  
「ブルー  ：レッド」  ：変化なし
「ブルー：グリーン」  ：変化なし
なお、「レッド：レッド」「グリーン：グリーン」「ブルー：ブルー」のように同じ色の連続は使用していない。
【０１１４】
（２−３）データセル群１６の組み合わせ（仕様）の修正
各データセル群１６中のコンテンツデータを組み合わせることによって、そのピクチャーシンボルが表すデータＦが決定される。
【０１１５】
本実施の形態においては、デフォルトとして、Ｆ＝Ａ＋Ｂ＋Ｃ＋Ｄと定める。ここで、Ａはデータセル１６ａが保持するコンテンツデータであり、Ｂはデータセル１６ｂが保持するコンテンツデータであり、Ｃはデータセル１６ｃが保持するコンテンツデータであり、Ｄはデータセル１６ｄが保持するコンテンツデータである。ここでは、一つのピクチャーセル１０中に４個のデータセル群１６ａ、１６ｂ、１６ｃ、１６ｄが含まれる例について説明する。
【０１１６】
そのピクチャーシンボル１０が表す最終的なデータＦは、基本的にはＦ＝Ａ＋Ｂ＋Ｃ＋Ｄと表されるが、ファンクションセル群１４の色彩の組み合わせによってこの表現式を修正することができる。
【０１１７】
その様子が図７に示されている。図７には、ファンクションセル群１４の色彩の組み合わせによって、データセル群１６のコンテンツデータの組み合わせ方が修正される規則を定めた表が示されている。なお、組み合わせ方を、「組み合わせる規則」、又は「組み合わせ規則」等と呼ぶ。
【０１１８】
この表は、データセル群１６が４個ある場合の表の一例である。４個のデータセル群１６が保持するコンテンツデータを上述のように、それぞれＡ、Ｂ、Ｃ、Ｄと呼ぶ。これらのデータに基づき、デフォルトの構成では、最終データＦを、Ｆ＝Ａ＋Ｂ＋Ｃ＋Ｄと定める。
【０１１９】
セル２８ａとセル２８ｂとの色彩が「レッド：グリーン」の場合は、修正はなく、上記デフォルトがそのまま用いられる。その他は、以下のように修正される。
【０１２０】
「レッド：ブルー」    ：Ｆ＝Ａ−Ｂ＋Ｃ＋Ｄと修正される。  
「グリーン：レッド」  ：Ｆ＝Ａ＋Ｂ−Ｃ＋Ｄと修正される。  
「グリーン：ブルー」  ：Ｆ＝Ａ＋Ｂ＋Ｃ−Ｄと修正される。  
「ブルー  ：レッド」  ：Ｆ＝−（Ａ＋Ｂ＋Ｃ＋Ｄ）と修正される。  
「ブルー：グリーン」  ：Ｆ＝−Ａ＋Ｂ＋Ｃ＋Ｄと修正される。  
なお、「レッド：レッド」「グリーン：グリーン」「ブルー：ブルー」のように同じ色の連続は使用していない。
【０１２１】
（２−４）チェック手法の修正
各データセル群１６中にはチェックデータセルが含まれ、ここにはチェックデータが格納される。
【０１２２】
チェックデータはＣＲＣ等種々のチェックのためのデータを利用することができる。本実施の形態においては、そのチェックの手法を、ファンクションセル群１４の色彩の組み合わせによってこのデフォルトのシステムから修正することができる。
【０１２３】
（２−５）スペース色の修正
各データセル群１６中にはスペースセル２０が設けられ、スペース色が付されていることは既に述べた。このスペース色はデータセル群１６の検知に用いる重要な色彩である。そのため、場合によっては、修正が必要なことがある。
【０１２４】
本実施の形態においては、そのスペース色を、ファンクションセル群１４の色彩の組み合わせによってこのデフォルトの色彩から修正することができる。
【０１２５】
（２−６）デコード規則の修正
各データセル群１６中のデータセル中の色彩の遷移によってデータが表現されている。デコードの際は、所定のデコードの規則に基づいてデータを得るが、場合によっては、そのデコード規則を修正したい場合も生じる。
【０１２６】
本実施の形態においては、そのデコードの規則を、ファンクションセル群１４の色彩の組み合わせによってこのデフォルトのデコード規則から修正することができる。
【０１２７】
（２−７）仕分けの修正
各データセル群１６中のセル１８は、上述したようにアドレスデータセル、コンテンツデータセル、チェックデータセル、に分けられている。これを「仕分け」と呼び、その規則を「仕分け規則」と呼ぶ。
【０１２８】
図２で示した例では、３個のアドレスデータセルと、７個のコンテンツデータセルと、２個のチェックデータセルと、を含んでおり、これが予め定められた仕分け規則である。
【０１２９】
光学式シンボルの作成・付加時には、通常、この仕分け規則で各データセルの色彩が決定され、また通常は読み取り時にはこの仕分け規則に従って読み取り・デコードが行われる。
【０１３０】
しかしながら、場合によっては、この仕分け規則を修正したい場合も生じる。
【０１３１】
本実施の形態においては、その仕分けの規則を、ファンクションセル群１４の色彩の組み合わせによってこのデフォルトの仕分けの規則から修正することができる。
【０１３２】
（３）切り出しマーク
切り出しマーク１２は、座標の基準を示すためのマークである。図１においては菱形のマークを切り出しマーク１２として用いている。デコード時には、この菱形を検出することによって切り出しマーク１２と認識するのである。
【０１３３】
（３−１）一体化
なお、本実施の形態においては、切り出しマーク１２とファンクションセル群１４とを一体化した構成を採用している。つまり、菱形という形状が、切り出しマーク１２を表し、内部にセル２８ａ及びセル２８ｂが設けられているとして扱うのである。このような例が図８に示されている。
【０１３４】
図８（１）においては、菱形の内部を４区画に分けて、各区画をファンクションセル群１４に含まれるセル２８ａ、２８ｂ、２８ｃ、２８ｄとして扱っている。この場合、セル２８ａ、２８ｂのみを用い、セル２８ｃ、２８ｄは未使用としてもかまわない。
【０１３５】
また、図８（２）には内部を３区画に分けて、それぞれを、ファンクションセル群１４に含まれるセル２８ａ、２８ｂ、２８ｃとして扱う例が示されている。
【０１３６】
このように、切り出しマーク１２とファンクションセル群１４とを一体化すれば、座標の基準を得ると共に、コード体系に関する修正も同時に検出することが可能である。
【０１３７】
（３−２）座標軸との関係
図１に示した例では、切り出しマーク１２ａの座標を（０，ｙ０）に設定し、切り出しマーク１２ｂの座標を（０，０）に設定し、切り出しマーク１２ｃの座標を（ｘ０、０）に設定している。すなわち、切り出しマーク１２ａはｙ軸上に位置し、切り出しマーク１２ｂは座標の原点に位置する。そして、切り出しマーク１２ｃはｘ軸上に位置するのである。
【０１３８】
このような設定は、座標が直感的にわかりやすくなるため好適である。これらの位置を基準としてデータセル群１６等の位置を予め定めておく。
【０１３９】
一方、切り出しマークは必ずしも座標軸上に位置する必要はない。このような例の説明図が図９に示されている。この図９において、切り出しマーク１２は、原点（０、０）に位置するが、他の切り出しマーク１２ｅ、１２ｆは座標軸上には位置していない。切り出しマーク１２ｄ、１２ｅ、１２ｆの間の座標値の差（ｘ１、ｙ１）、（ｘ２、ｙ２）は予め定められている。切り出しマークの位置は基準として用いているが、特に座標軸上になければならないものではなく、位置が予め決定されていれば図９のような位置に切り出しマーク１２が位置していても全く問題ない。
【０１４０】
（３−３）切り出しマークの利用
このような切り出しマーク１２を用いることによって、ピクチャーシンボル１０が付された物品の表面に面の傾き、ゆがみなどによって、絶対的な距離（長さ）が変化した場合でも、相対的な位置関係を用いてデータセル群１６の位置を算出することができる。したがって、本実施の形態では分散しているデータセル群（図９で言えば１６ｊ、１６ｋ）の位置を正確に検知することができる。なお、上述した（ｘ１、ｙ１）、（ｘ２、ｙ２）は既知であるので、データセル群１６ｊ、１６ｋの位置も算出可能である。
【０１４１】
Ｂ．ピクチャーシンボルの作成・貼付
ピクチャーシンボル１０を作成する手順は種々考えられる。特に好適な一例を以下に示す。
【０１４２】
（１）シンボル化したいデータを準備し、そのデータをシンボル毎に分割する。各シンボル毎にシンボル化（ピクチャーシンボル化）が以下のように行われる。
【０１４３】
（２）分割したデータをコンテンツデータと呼ぶ。このコンテンツデータに対応して、各データセル毎のアドレスデータ、チェックデータを作成する。
【０１４４】
（３）アドレスデータ、コンテンツデータ、チェックデータをそれぞれ変換し、アドレスデータセル、コンテンツデータセル、チェックデータセルをそれぞれ作成する。本実施の形態では、上述したように各セル１８に色彩を付すことによって各データを表現している。また、６進数で数を表現している。
【０１４５】
（４）このようにして各セル１８の色彩を決定する。そして、特定の色彩のスペースセル２０をその周囲に設けてデータセル群１６が完成する。
【０１４６】
（５）所定の仕様に応じてファンクションセル群１４を作成する。また、
（６）切り出しマーク１２を作成する。この切り出しマーク１２は、原則として、所定の形状のマークが切り出しマーク１２であるが、ファンクションセル群１４と一体化する場合は、所定の色彩が付されたセル２８を有する。
【０１４７】
（７）以上のようにして作成された切り出しマーク１２、データセル群１６、ファンクションセル群１４、を所定の位置に配置することによって、最終的なピクチャーシンボル１０が完成する。
【０１４８】
（８）完成したピクチャーシンボル１０を所定の印刷装置を用いて対象となる「物品」に付す。また、単なる印刷だけでなく、刺繍等の手法でピクチャーシンボル１０を物品に付すのも好ましい。
【０１４９】
又は、所定のシール等にこのピクチャーシンボル１０を予め印刷し、印刷したシールを所定の「物品」に付すのも好適である。
【０１５０】
このように本実施の形態のピクチャーシンボル１０は、切り出しマーク１２、データセル群１６、ファンクションセル群１４、が分散して配置されて１個のピクチャーシンボル１０を構成しているので、物品上の写真や絵と融合性の高いシンボルである。これに対して、従来のシンボルは一塊りのシンボルであるので、既存の写真上に貼ればその写真は隠れてしまい、高い融合性は達成できなかったのである。
【０１５１】
さらに、切り出しマーク１２の位置によってデータセル群１６等の相対的な位置を規定しているので、物品が柔らかいものでも、容易に読み取りをすることができるので、本ピクチャーシンボル１０を直接付すことが可能である。
【０１５２】
Ｃ．ピクチャーシンボルのデコード
ピクチャーシンボル１０を読み取って、元となったデータを復元することをデコードと呼ぶ。デコードの手順は種々考えられるが、典型的な好ましい一例は以下の通りである。
【０１５３】
（１）所定の物品に付されたピクチャーシンボルを含む画像をＣＣＤカメラ等で撮影し、画像データとして取り込む。
【０１５４】
なお、ＣＣＤカメラは、いわゆるエリアセンサと呼ばれるセンサの代表的な一例であり、他のエリアセンサで画像データを取得しても良い。
【０１５５】
（２）上記画像データにおいて、複数の切り出しマーク１２を認知する。
【０１５６】
ここで、切り出しマーク１２の形状、寸法、数、位置関係は予め記憶されているものとする。上記認識された切り出しマーク１２の位置と、予め記憶されている切り出しマーク１２の位置関係から、基準座標を画像データ内に定める。この様子が例えば図９に示されている。画像データ上で、基準座標軸を描くのである。
【０１５７】
（３）上記基準座標に基づき、ファンクションセル群１４を、画像データ内で検索、検知する。ファンクションセル群１４は、ルールコードに修正を加える色彩コードを含むものである。ここで、ルールコードに修正を加える色彩コードを含むファンクションセル群１４の位置は予め決定されているので、その位置（座標）の場所を探せばファンクションセル群１４を見つけることができる。
【０１５８】
なお、上述したように、ルールコードを修正する色彩コードが収められたファンクションセル群１４は切り出しマーク１２と一体化していることもある。
【０１５９】
ルールコードを修正する色彩コードのデータにはその他のデータセル群１６の位置関係を修正する修正データも含まれている場合がある。この修正データは、データセル群１６の位置データ、すなわち、デフォルトで記憶されている位置データの修正データが含まれている場合もある。このような構成によって、データセル群１６を検出する。
【０１６０】
（４）セル群の検出
上記位置関係から特定された位置周辺の画像データから、そのセル群の特徴を見つけ出すことによって行われる。
【０１６１】
この特徴とは、スペースセル、色の数、色の配列の特徴を意味する。また、この特徴は、デフォルトで決められたデータ、及び、ルールコードを修正する色彩コードで修正された修正データ、の双方の特徴を意味する。
【０１６２】
これらの特徴を画像データから見つけ出すことによってセル群を見つけ出す。なお、セル群は、ファンクションセル群１４と、データセル群１６と、を意味する。ファンクションセル群１４は切り出しマーク１２と一体化していることもあり、その場合はスペースセルがない場合もありえる。
【０１６３】
（５）データセル群１６のデータのデコード
検知されたデータセル群１６に含まれる各セルの色の配列を読み取り、デコードを行う。このデコードは、本来記憶されているデータ、又は、ルールコードを修正するための色彩コードによって修正されたデータにより定められたルールにより、デコードを行う。
【０１６４】
すなわち、デコードは、原則として、予め決めた方法でデコードする。もし、ファンクションセル群１４中の色彩コードによってデコード方法が修正されている場合は、その修正された方法でデコードを行う。
【０１６５】
なお、本発明では、デコードを「符号化」と呼ぶ場合もある。
【０１６６】
（６）チェックデータ、アドレスデータ、コンテンツデータの認知及び仕分け
上記デコードされたデータからチェックデータ、アドレスデータ、コンテンツデータを仕分ける。予め記憶されているデータ、又は、ルールコードを修正するための色彩コードによって修正されたデータにより、上記デコードによって得られたデータからチェックデータ、アドレスデータ、コンテンツデータを仕分ける。
【０１６７】
すなわち、「仕分け」は、原則として、予め決めた規則で仕分けを行う。もし、ファンクションセル群１４中の色彩コードによって仕分けの方法が修正されている場合は、その修正された方法で仕分けを行う。
【０１６８】
（７）データセル群１６に含まれるデータの統合
予め記憶されているデータによって表される統合ルールによって、データを統合する。
【０１６９】
又は、ルールコードを修正するための色彩コードによって修正されたデータで表されるルールによって、データセル群１６のデータ（セル群データと呼ぶ）を統合し、最終データを構築する。
【０１７０】
すなわち、データセル群１６は、１個のピクチャーシンボル１０内に複数個存在する。この複数個存在するデータセル群１６が格納するデータを統合することによって、ピクチャーシンボル１０が格納しているデータを復元することが可能である。
【０１７１】
（８）チェックデータ、アドレスデータによるコンテンツデータのチェック
次に、チェックデータ、アドレスデータ、等によってコンテンツデータのチェックを行う。この結果、エラーが発見された場合や、エラー訂正が行われた場合は別途警告・報告が行われる。
【０１７２】
まとめ
本実施の形態で提案したコード体系は以下のような特徴を持っている。
【０１７３】
シンボル（ピクチャーシンボル１０）毎に読み取りルールを変更できる。したがってピクチャーシンボル１０を構成するデータセル群１６は、そのレイアウトに自由度が存在する。
【０１７４】
また、本実施の形態では、使用する色の種類を極めて少なくすることも好適である。この結果、色の退色、印刷ムラ、照明光などの影響に対する強度が高く、データを正しく読み取る確率が向上する。
【０１７５】
また、本実施の形態では、スペースセルを設けたため、セル群の範囲が明確となり、背景色との誤認を防止することができる。
【０１７６】
また、ピクチャーシンボル１０毎に読み取りルールを変更できる。この場合、背景とマッチした色使いができる可能性もある。
【０１７７】
また、本実施の形態によれば、データセル群１６毎に、位置の指定が行える。したがって、データセル群１６の指定をラフに行うことができる場合がある。したがって、媒体のゆがみ、印刷精度などの制約が緩和される場合もある。
【０１７８】
各セル群内において、データは色の順番のみに依存する。そのため、二次元的変化、画像の精度に対してデコード精度が確保でき、像のゆがみ、ボケなどの悪条件に対して強い。なお、「セル群」とはデータセル群１６とファンクションセル群１４とを意味する。
【０１７９】
また、本実施の形態によれば、いずれかの行中にアドレスデータセルが含まれているので、アドレスを容易に示すことが可能である。さらに、各行毎にアドレスデータセルを設けることも好適であり、この場合は各行毎にアドレスを容易に示すことができる。
【０１８０】
Ｄ．変形例
本実施の形態では、データセル群１６中のセルに色彩、特に有彩色を付している例を示したが、データを表せればどのような方法でも良い。
【０１８１】
また、上述した例では、セル１８が横方向に整然と並んでいる例を示したが、縦方向に並んでいてもかまわない。また、斜め方向に並べても良い。
【０１８２】
また、上述した例では、有彩色を付したセル１８を所定方向に並べているが、従来のバーコードの如き、白黒のパターンの長短によってデータを表しても良い。
【図面の簡単な説明】
【０１８３】
【図１】本実施の形態におけるピクチャーシンボルの説明図である。
【図２】本実施の形態におけるデータセル群の説明図である。
【図３】本実施の形態におけるデータセル群の他の説明図である。
【図４】本実施の形態におけるファンクションセル群の説明図である。
【図５】ファンクションセル群の色彩の組み合わせによって、データセル群の位置が修正される規則を定めた表である。
【図６】ファンクションセル群の色彩の組み合わせによって、データセル群の構成が修正される規則を定めた表である。
【図７】ファンクションセル群の色彩の組み合わせによって、データセル群のコンテンツデータの組み合わせ方が修正される規則を定めた表である。
【図８】切り出しマークとファンクションセル群とを一体化した構成の説明図である。
【図９】切り出しマークが座標軸上に位置していない例を示す説明図である。
【符号の説明】
【０１８４】
１０  ピクチャーシンボル
１２  切り出しマーク
１４  ファンクションセル群
１６  データセル群
１８  セル
２０  スペースセル
２８  セル
４０  スペースセル
【図１】
2008009879.tif 000003
【図２】
2008009879.tif 000004
【図３】
2008009879.tif 000005
【図４】
2008009879.tif 000006
【図５】
2008009879.tif 000007
【図６】
2008009879.tif 000008
【図７】
2008009879.tif 000009
【図８】
2008009879.tif 000010
【図９】
2008009879.tif 000011
【手続補正書】
【提出日】平成18年10月26日(2006.10.26)
【手続補正１】
【補正対象書類名】特許請求の範囲
【補正対象項目名】全文
【補正方法】変更
【補正の内容】
【特許請求の範囲】
【請求項１】
所定のデータを記録する光学式シンボルにおいて、
基準座標位置を表す複数の切り出しマークと、
データを表す１個又はそれ以上のデータセル群と、
前記データセル群は、１個又は２個以上のセルを含み、
前記各セルは、線状に配列されており、隣接する前記セルに付されている色彩の組み合わせによってデータが表されていることを特徴とする光学式シンボル。
【請求項２】
請求項１記載の光学式シンボルにおいて、
前記データセル群は、スペースセルと、前記スペースセルの範囲内に配置された１個又は２個以上のセルと、を含み、
前記各セルには、それぞれ所定の１色が付されており、
前記スペースセルには、前記各セルの色彩には使用されない特定のスペース色が付されていることを特徴とする光学式シンボル。
【請求項３】
請求項２記載の光学式シンボルにおいて、
前記データセル群に含まれる隣接する前記セル同士は、異なる色彩が付されていることを特徴とする光学式シンボル。
【請求項４】
請求項３記載の光学式シンボルにおいて、
前記データセル群に含まれる各前記セルは、１本又は２本以上の行を構成していることを特徴とする光学式シンボル。
【請求項５】
請求項４記載の光学式シンボルにおいて、
前記「行」中のいずれか１本の行には、アドレスを示すアドレスデータセルが含まれていることを特徴とする光学式シンボル。
【請求項６】
請求項４記載の光学式シンボルにおいて、
前記各「行」には、アドレスを示すアドレスデータセルが前記各行毎に含まれていることを特徴とする光学式シンボル。
【請求項７】
請求項１記載の光学式シンボルにおいて、
前記データセル群の位置を予め定められた座標位置から修正する制御情報を表す１個又はそれ以上のファンクションセル群を含み、
前記ファンクションセル群は、前記切り出しマークが表す基準座標に基づき、予め定められた座標位置に配置されていることを特徴とする光学式シンボル。
【請求項８】
請求項７記載の光学式シンボルにおいて、
前記ファンクションセル群は、スペースセルと、前記スペースセルの範囲内に配置された１個又は２個以上のセルと、を含み、
前記各セルには、それぞれ所定の１色が付されており、
前記スペースセルには、前記各セルの色彩には使用されない特定のスペース色が付されていることを特徴とする光学式シンボル。
【請求項９】
請求項８記載の光学式シンボルにおいて、
前記ファンクションセル群に含まれる隣接する前記セル同士は、異なる色彩が付されていることを特徴とする光学式シンボル。
【請求項１０】
請求項９記載の光学式シンボルにおいて、
前記ファンクションセル群に含まれる各前記セルは、１本又は２本以上の行を構成していることを特徴とする光学式シンボル。
【請求項１１】
請求項１０記載の光学式シンボルにおいて、
前記「行」中のいずれか１本の行には、アドレスを示すアドレスデータセルが含まれていることを特徴とする光学式シンボル。
【請求項１２】
請求項１０記載の光学式シンボルにおいて、
前記各「行」には、アドレスを示すアドレスデータセルが前記各行毎に含まれていることを特徴とする光学式シンボル。
【請求項１３】
請求項７記載の光学式シンボルにおいて、
前記データセル群は、予め定められた座標位置に配置されているか、又は、前記制御情報に基づいて予め定められた座標位置を修正した座標位置に配置されていることを特徴とする光学式シンボル。
【請求項１４】
請求項７記載の光学式シンボルにおいて、
前記ファンクションセル群は、前記切り出しマークと同一の位置に配置され、前記ファンクションセル群と前記切り出しマークとは一体に構成されていることを特徴とする光学式シンボル。
【請求項１５】
請求項９記載の光学式シンボルにおいて、
前記データセル群に含まれる各前記セルは、１本又は２本以上の行を構成していることを特徴とする光学式シンボル。
【請求項１６】
請求項１５記載の光学式シンボルにおいて、
前記制御情報は、前記データセル群に含まれる前記各セルが構成する行の数、及び、前記各行に含まれるセルの数を、予め定められた行の数及び行に含まれるセルの数から修正する情報を含み、
前記データセル群中の前記各セルは、予め定められた行の数及び行に含まれるセルの数に基づいて配置されているか、又は、前記制御情報に基づいて予め定められた行の数及び行を構成するセルの数を修正した行の数及び行に含まれるセルの数に基づいて配置されていることを特徴とする光学式シンボル。
【請求項１７】
請求項７記載の光学式シンボルにおいて、
前記制御情報は、
データの確からしさを検査する手法であるチェックコードを修正する修正情報、を含み、
前記データセル群は、予め定められたチェックコードによってデータの確からしさを検査されるか、又は、前記修正情報を用いて修正されたチェックコードによってデータの確からしさを検査されることを特徴とする光学式シンボル。
【請求項１８】
請求項７記載の光学式シンボルにおいて、
前記制御情報は、データのデコード手法を修正する修正情報、を含み、
前記データセル群及び前記ファンクションセル群は、予め定められたデコード手法でデータに変換されるか、又は、予め定められたデコード手法を前記修正情報で修正したデコード手法でデコードされることを特徴とする光学式シンボル。
【請求項１９】
請求項７記載の光学式シンボルにおいて、
前記制御情報は、データの仕分け規則を修正する修正情報、を含み、
前記データセル群及び前記ファンクションセル群は、予め定められた仕分け規則で
内容であるコンテンツデータと、
前記データセル群及び前記ファンクションセル群のアドレスを表すアドレスデータと、
前記データセル群及び前記ファンクションセル群が表すデータのチェックを行うためのチェックデータと、
に仕分けされるか、
又は、
前記データセル群及び前記ファンクションセル群は、前記予め定められた仕分け規則を前記修正情報で修正した仕分け規則で、
前記コンテンツデータと、
前記アドレスデータと、
前記チェックデータと、
に仕分けされることを特徴とする光学式シンボル。
【請求項２０】
請求項８記載の光学式シンボルにおいて、
前記制御情報は、前記スペース色を修正する修正情報、を含み、
前記スペース色は、予め定められた前記特定のスペース色を前記修正情報で修正した色彩であることを特徴とする光学式シンボル。
【請求項２１】
請求項７記載の光学式シンボルにおいて、
前記制御情報は、前記データセル群及び前記ファンクションセル群が表すデータを組み合わせる規則を修正する修正情報を含み、
前記データセル群及び前記ファンクションセル群の表すデータを、前記予め決められた組み合わせ規則で組み合わせてその光学式シンボルの最終的なデータが得られるか、
又は、
前記データセル群及び前記ファンクションセルの表すデータを、前記修正情報によって修正された前記予め決められた組み合わせ規則で組み合わせて最終的なデータが得られることを特徴とする光学式シンボル。
【請求項２２】
請求項１又は７記載の光学式シンボルにおいて、
前記切り出しマークは、予め定められた色彩、形状、寸法、のいずれかの条件、又は全部の条件、を満たすマークであることを特徴とする光学式シンボル。
【請求項２３】
請求項１記載の光学式シンボルにおいて、
この光学式シンボルが一塊のマークではなく、複数の分散して配置されたマークから構成されていることを特徴とする光学式シンボル。
【請求項２４】
同一内容を備えた請求項１又は７記載の光学シンボルを、複数個付した物品であって、
前記複数の光学式シンボルは、{前記切り出しマーク及び前記セル群}以外の領域である背景画像がそれぞれ異なることを特徴とする光学式シンボルが付された物品。
【請求項２５】
請求項１〜請求項２３のいずれかに記載の光学式シンボルが付された物品。
【請求項２６】
請求項１〜請求項２３のいずれかに記載の光学式シンボルを物品に付す方法において、
記録したいデータに基づき前記光学式シンボルを作成する工程と、
前記作成した光学式シンボルを所定の物品に付す工程と、
を含み、
前記付す工程は、前記光学式シンボルを前記物品に印刷する工程と、前記光学式シンボルを物品に刺繍で付する工程と、前記光学式シンボルを描いた粘着シールを前記物品に貼付する工程と、のいずれかの工程を含むことを特徴とする光学式シンボルを物品に付す方法。
【請求項２７】
物品に付された請求項１〜請求項２３のいずれかに記載の光学式シンボルをデコードする方法において、
前記光学式シンボルを撮影し、前記光学式シンボルの画像データを得る工程と、
前記画像データ中から、切り出しマークを認識する工程と、
前記認識した切り出しマークから、前記画像データ中で基準座標を定める工程と、
前記基準座標に基づき、ファンクションセル群を読み取る工程と、
前記基準座標に基づき、データセル群を読み取る工程と、
前記読み取ったデータセル群データのデコードを行う工程と、
前記デコードを行った前記各データセル群のデータを統合する工程と、
を含むことを特徴とする光学式シンボルのデコード方法。
【手続補正書】
【提出日】平成19年4月25日(2007.4.25)
【手続補正１】
【補正対象書類名】特許請求の範囲
【補正対象項目名】全文
【補正方法】変更
【補正の内容】
【特許請求の範囲】
【請求項１】
所定のデータを記録する光学式シンボルにおいて、
基準座標位置を表す複数の切り出しマークと、
データを表す１個又はそれ以上のデータセル群とを含み、
前記データセル群は、１個又は２個以上のセル含み、
前記各セルは、線状に配列されており、隣接する前記セルに付されている色彩の組み合わせによってデータを表し、
前記データセル群は、スペースセルと、前記スペースセルの範囲内に配置された１個又は２個以上のセルと、を含み、
前記各セルには、それぞれ所定の１色が付されており、
前記スペースセルには、前記各セルの色彩には使用されない特定のスペース色が付されていることを特徴とする光学式シンボル。
【請求項２】
所定のデータを記録する光学式シンボルにおいて、
基準座標位置を表す複数の切り出しマークと、
データを表す１個又はそれ以上のデータセル群とを含み、
前記データセル群は、１個又は２個以上のセルを含み、
前記各セルは、線状に配列されており、隣接する前記セルに付されている色彩の組み合わせによってデータを表し、
前記データセル群に含まれる隣接する前記セル同士は、異なる色彩が付されており、
前記データセル群に含まれる各前記セルは、１本又は２本以上の行を構成していることを特徴とする光学式シンボル。
【請求項３】
請求項１記載の光学式シンボルにおいて、
前記データセル群に含まれる隣接する前記セル同士は、異なる色彩が付されていることを特徴とする光学式シンボル。
【請求項４】
請求項３記載の光学式シンボルにおいて、
前記データセル群に含まれる各前記セルは、１本又は２本以上の行を構成していることを特徴とする光学式シンボル。
【請求項５】
請求項４記載の光学式シンボルにおいて、
前記「行」中のいずれか１本の行には、アドレスを示すアドレスデータセルが含まれていることを特徴とする光学式シンボル。
【請求項６】
請求項４記載の光学式シンボルにおいて、
前記各「行」には、アドレスを示すアドレスデータセルが前記各行毎に含まれていることを特徴とする光学式シンボル。
【請求項７】
請求項１記載の光学式シンボルにおいて、
前記データセル群の位置を予め定められた座標位置から修正する制御情報を表す１個又はそれ以上のファンクションセル群を含み、
前記ファンクションセル群は、前記切り出しマークが表す基準座標に基づき、予め定められた座標位置に配置されていることを特徴とする光学式シンボル。
【請求項８】
請求項７記載の光学式シンボルにおいて、
前記ファンクションセル群は、スペースセルと、前記スペースセルの範囲内に配置された１個又は２個以上のセルと、を含み、
前記各セルには、それぞれ所定の１色が付されており、
前記スペースセルには、前記各セルの色彩には使用されない特定のスペース色が付されていることを特徴とする光学式シンボル。
【請求項９】
請求項８記載の光学式シンボルにおいて、
前記ファンクションセル群に含まれる隣接する前記セル同士は、異なる色彩が付されていることを特徴とする光学式シンボル。
【請求項１０】
請求項９記載の光学式シンボルにおいて、
前記ファンクションセル群に含まれる各前記セルは、１本又は２本以上の行を構成していることを特徴とする光学式シンボル。
【請求項１１】
請求項１０記載の光学式シンボルにおいて、
前記「行」中のいずれか１本の行には、アドレスを示すアドレスデータセルが含まれていることを特徴とする光学式シンボル。
【請求項１２】
請求項１０記載の光学式シンボルにおいて、
前記各「行」には、アドレスを示すアドレスデータセルが前記各行毎に含まれていることを特徴とする光学式シンボル。
【請求項１３】
請求項７記載の光学式シンボルにおいて、
前記データセル群は、予め定められた座標位置に配置されているか、又は、前記制御情報に基づいて予め定められた座標位置を修正した座標位置に配置されていることを特徴とする光学式シンボル。
【請求項１４】
請求項７記載の光学式シンボルにおいて、
前記ファンクションセル群は、前記切り出しマークと同一の位置に配置され、前記ファンクションセル群と前記切り出しマークとは一体に構成されていることを特徴とする光学式シンボル。
【請求項１５】
請求項９記載の光学式シンボルにおいて、
前記データセル群に含まれる各前記セルは、１本又は２本以上の行を構成していることを特徴とする光学式シンボル。
【請求項１６】
請求項１５記載の光学式シンボルにおいて、
前記制御情報は、前記データセル群に含まれる前記各セルが構成する行の数、及び、前記各行に含まれるセルの数を、予め定められた行の数及び行に含まれるセルの数から修正する情報を含み、
前記データセル群中の前記各セルは、予め定められた行の数及び行に含まれるセルの数に基づいて配置されているか、又は、前記制御情報に基づいて予め定められた行の数及び行を構成するセルの数を修正した行の数及び行に含まれるセルの数に基づいて配置されていることを特徴とする光学式シンボル。
【請求項１７】
請求項７記載の光学式シンボルにおいて、
前記制御情報は、
データの確からしさを検査する手法であるチェックコードを修正する修正情報、を含み、
前記データセル群は、予め定められたチェックコードによってデータの確からしさを検査されるか、又は、前記修正情報を用いて修正されたチェックコードによってデータの確からしさを検査されることを特徴とする光学式シンボル。
【請求項１８】
請求項７記載の光学式シンボルにおいて、
前記制御情報は、データのデコード手法を修正する修正情報、を含み、
前記データセル群及び前記ファンクションセル群は、予め定められたデコード手法でデータに変換されるか、又は、予め定められたデコード手法を前記修正情報で修正したデコード手法でデコードされることを特徴とする光学式シンボル。
【請求項１９】
請求項７記載の光学式シンボルにおいて、
前記制御情報は、データの仕分け規則を修正する修正情報、を含み、
前記データセル群及び前記ファンクションセル群は、予め定められた仕分け規則で、
内容であるコンテンツデータと、
前記データセル群及び前記ファンクションセル群のアドレスを表すアドレスデータと、
前記データセル群及び前記ファンクションセル群が表すデータのチェックを行うためのチェックデータと、
に仕分けされるか、
又は、
前記データセル群及び前記ファンクションセル群は、前記予め定められた仕分け規則を前記修正情報で修正した仕分け規則で、
前記コンテンツデータと、
前記アドレスデータと、
前記チェックデータと、
に仕分けされることを特徴とする光学式シンボル。
【請求項２０】
請求項８記載の光学式シンボルにおいて、
前記制御情報は、前記スペース色を修正する修正情報、を含み、
前記スペース色は、予め定められた前記特定のスペース色を前記修正情報で修正した色彩であることを特徴とする光学式シンボル。
【請求項２１】
請求項７記載の光学式シンボルにおいて、
前記制御情報は、前記データセル群及び前記ファンクションセル群が表すデータを組み合わせる規則を修正する修正情報を含み、
前記データセル群及び前記ファンクションセル群の表すデータを、前記予め決められた組み合わせ規則で組み合わせてその光学式シンボルの最終的なデータが得られるか、
又は、
前記データセル群及び前記ファンクションセルの表すデータを、前記修正情報によって修正された前記予め決められた組み合わせ規則で組み合わせて最終的なデータが得られることを特徴とする光学式シンボル。
【請求項２２】
請求項１又は７記載の光学式シンボルにおいて、
前記切り出しマークは、予め定められた色彩、形状、寸法、のいずれかの条件、又は全部の条件、を満たすマークであることを特徴とする光学式シンボル。
【請求項２３】
請求項１記載の光学式シンボルにおいて、
この光学式シンボルが一塊のマークではなく、複数の分散して配置されたマークから構成されていることを特徴とする光学式シンボル。
【請求項２４】
同一内容を備えた請求項１又は７記載の光学シンボルを、複数個付した物品であって、
前記複数の光学式シンボルは、{前記切り出しマーク及び前記セル群}以外の領域である背景画像がそれぞれ異なることを特徴とする光学式シンボルが付された物品。
【請求項２５】
請求項１〜請求項２３のいずれかに記載の光学式シンボルが付された物品。
【請求項２６】
請求項１〜請求項２３のいずれかに記載の光学式シンボルを物品に付す方法において、
記録したいデータに基づき前記光学式シンボルを作成する工程と、
前記作成した光学式シンボルを所定の物品に付す工程と、
を含み、
前記付す工程は、前記光学式シンボルを前記物品に印刷する工程と、前記光学式シンボルを物品に刺繍で付する工程と、前記光学式シンボルを描いた粘着シールを前記物品に貼付する工程と、のいずれかの工程を含むことを特徴とする光学式シンボルを物品に付す方法。
【請求項２７】
物品に付された請求項１〜請求項２３のいずれかに記載の光学式シンボルをデコードする方法において、
前記光学式シンボルを撮影し、前記光学式シンボルの画像データを得る工程と、
前記画像データ中から、切り出しマークを認識する工程と、
前記認識した切り出しマークから、前記画像データ中で基準座標を定める工程と、
前記基準座標に基づき、ファンクションセル群を読み取る工程と、
前記基準座標に基づき、データセル群を読み取る工程と、
前記読み取ったデータセル群データのデコードを行う工程と、
前記デコードを行った前記各データセル群のデータを統合する工程と、
を含むことを特徴とする光学式シンボルのデコード方法。
【手続補正書】
【提出日】平成19年7月27日(2007.7.27)
【手続補正１】
【補正対象書類名】特許請求の範囲
【補正対象項目名】全文
【補正方法】変更
【補正の内容】
【特許請求の範囲】
【請求項１】
所定のデータを記録する光学式シンボルにおいて、
基準座標位置を表す複数の切り出しマークと、
データを表す１個又はそれ以上のデータセル群とを含み、
前記データセル群は、１個又は２個以上のセル含み、
前記各セルは、線状に配列されており、隣接する前記セルに付されている色彩の組み合わせによってデータを表し、
前記データセル群は、スペースセルと、前記スペースセルの範囲内に配置された１個又は２個以上のセルと、を含み、
前記各セルには、それぞれ所定の１色が付されており、
前記スペースセルには、前記各セルの色彩には使用されない特定のスペース色が付されていることを特徴とする光学式シンボル。
【請求項２】
請求項１記載の光学式シンボルにおいて、
前記データセル群に含まれる隣接する前記セル同士は、異なる色彩が付されており、
前記データセル群に含まれる各前記セルは、１本又は２本以上の行を構成していることを特徴とする光学式シンボル。
【請求項３】
請求項１記載の光学式シンボルにおいて、
前記データセル群に含まれる隣接する前記セル同士は、異なる色彩が付されていることを特徴とする光学式シンボル。
【請求項４】
請求項３記載の光学式シンボルにおいて、
前記データセル群に含まれる各前記セルは、１本又は２本以上の行を構成していることを特徴とする光学式シンボル。
【請求項５】
請求項４記載の光学式シンボルにおいて、
前記「行」中のいずれか１本の行には、アドレスを示すアドレスデータセルが含まれていることを特徴とする光学式シンボル。
【請求項６】
請求項４記載の光学式シンボルにおいて、
前記各「行」には、アドレスを示すアドレスデータセルが前記各行毎に含まれていることを特徴とする光学式シンボル。
【請求項７】
請求項１記載の光学式シンボルにおいて、
前記データセル群の位置を予め定められた座標位置から修正する制御情報を表す１個又はそれ以上のファンクションセル群を含み、
前記ファンクションセル群は、前記切り出しマークが表す基準座標に基づき、予め定められた座標位置に配置されていることを特徴とする光学式シンボル。
【請求項８】
請求項７記載の光学式シンボルにおいて、
前記ファンクションセル群は、スペースセルと、前記スペースセルの範囲内に配置された１個又は２個以上のセルと、を含み、
前記各セルには、それぞれ所定の１色が付されており、
前記スペースセルには、前記各セルの色彩には使用されない特定のスペース色が付されていることを特徴とする光学式シンボル。
【請求項９】
請求項８記載の光学式シンボルにおいて、
前記ファンクションセル群に含まれる隣接する前記セル同士は、異なる色彩が付されていることを特徴とする光学式シンボル。
【請求項１０】
請求項９記載の光学式シンボルにおいて、
前記ファンクションセル群に含まれる各前記セルは、１本又は２本以上の行を構成していることを特徴とする光学式シンボル。
【請求項１１】
請求項１０記載の光学式シンボルにおいて、
前記「行」中のいずれか１本の行には、アドレスを示すアドレスデータセルが含まれていることを特徴とする光学式シンボル。
【請求項１２】
請求項１０記載の光学式シンボルにおいて、
前記各「行」には、アドレスを示すアドレスデータセルが前記各行毎に含まれていることを特徴とする光学式シンボル。
【請求項１３】
請求項７記載の光学式シンボルにおいて、
前記データセル群は、予め定められた座標位置に配置されているか、又は、前記制御情報に基づいて予め定められた座標位置を修正した座標位置に配置されていることを特徴とする光学式シンボル。
【請求項１４】
請求項７記載の光学式シンボルにおいて、
前記ファンクションセル群は、前記切り出しマークと同一の位置に配置され、前記ファンクションセル群と前記切り出しマークとは一体に構成されていることを特徴とする光学式シンボル。
【請求項１５】
請求項９記載の光学式シンボルにおいて、
前記データセル群に含まれる各前記セルは、１本又は２本以上の行を構成していることを特徴とする光学式シンボル。
【請求項１６】
請求項１５記載の光学式シンボルにおいて、
前記制御情報は、前記データセル群に含まれる前記各セルが構成する行の数、及び、前記各行に含まれるセルの数を、予め定められた行の数及び行に含まれるセルの数から修正する情報を含み、
前記データセル群中の前記各セルは、予め定められた行の数及び行に含まれるセルの数に基づいて配置されているか、又は、前記制御情報に基づいて予め定められた行の数及び行を構成するセルの数を修正した行の数及び行に含まれるセルの数に基づいて配置されていることを特徴とする光学式シンボル。
【請求項１７】
請求項７記載の光学式シンボルにおいて、
前記制御情報は、
データの確からしさを検査する手法であるチェックコードを修正する修正情報、を含み、
前記データセル群は、予め定められたチェックコードによってデータの確からしさを検査されるか、又は、前記修正情報を用いて修正されたチェックコードによってデータの確からしさを検査されることを特徴とする光学式シンボル。
【請求項１８】
請求項７記載の光学式シンボルにおいて、
前記制御情報は、データのデコード手法を修正する修正情報、を含み、
前記データセル群及び前記ファンクションセル群は、予め定められたデコード手法でデータに変換されるか、又は、予め定められたデコード手法を前記修正情報で修正したデコード手法でデコードされることを特徴とする光学式シンボル。
【請求項１９】
請求項７記載の光学式シンボルにおいて、
前記制御情報は、データの仕分け規則を修正する修正情報、を含み、
前記データセル群及び前記ファンクションセル群は、予め定められた仕分け規則で、
内容であるコンテンツデータと、
前記データセル群及び前記ファンクションセル群のアドレスを表すアドレスデータと、
前記データセル群及び前記ファンクションセル群が表すデータのチェックを行うためのチェックデータと、
に仕分けされるか、
又は、
前記データセル群及び前記ファンクションセル群は、前記予め定められた仕分け規則を前記修正情報で修正した仕分け規則で、
前記コンテンツデータと、
前記アドレスデータと、
前記チェックデータと、
に仕分けされることを特徴とする光学式シンボル。
【請求項２０】
請求項８記載の光学式シンボルにおいて、
前記制御情報は、前記スペース色を修正する修正情報、を含み、
前記スペース色は、予め定められた前記特定のスペース色を前記修正情報で修正した色彩であることを特徴とする光学式シンボル。
【請求項２１】
請求項７記載の光学式シンボルにおいて、
前記制御情報は、前記データセル群及び前記ファンクションセル群が表すデータを組み合わせる規則を修正する修正情報を含み、
前記データセル群及び前記ファンクションセル群の表すデータを、前記予め決められた組み合わせ規則で組み合わせてその光学式シンボルの最終的なデータが得られるか、
又は、
前記データセル群及び前記ファンクションセルの表すデータを、前記修正情報によって修正された前記予め決められた組み合わせ規則で組み合わせて最終的なデータが得られることを特徴とする光学式シンボル。
【請求項２２】
請求項１又は７記載の光学式シンボルにおいて、
前記切り出しマークは、予め定められた色彩、形状、寸法、のいずれかの条件、又は全部の条件、を満たすマークであることを特徴とする光学式シンボル。
【請求項２３】
請求項１記載の光学式シンボルにおいて、
この光学式シンボルが一塊のマークではなく、複数の分散して配置されたマークから構成されていることを特徴とする光学式シンボル。
【請求項２４】
同一内容を備えた請求項１又は７記載の光学シンボルを、複数個付した物品であって、
前記複数の光学式シンボルは、{前記切り出しマーク及び前記セル群}以外の領域である背景画像がそれぞれ異なることを特徴とする光学式シンボルが付された物品。
【請求項２５】
請求項１〜請求項２３のいずれかに記載の光学式シンボルが付された物品。
【請求項２６】
請求項１〜請求項２３のいずれかに記載の光学式シンボルを物品に付す方法において、
記録したいデータに基づき前記光学式シンボルを作成する工程と、
前記作成した光学式シンボルを所定の物品に付す工程と、
を含み、
前記付す工程は、前記光学式シンボルを前記物品に印刷する工程と、前記光学式シンボルを物品に刺繍で付する工程と、前記光学式シンボルを描いた粘着シールを前記物品に貼付する工程と、のいずれかの工程を含むことを特徴とする光学式シンボルを物品に付す方法。
【請求項２７】
物品に付された請求項１〜請求項２３のいずれかに記載の光学式シンボルをデコードする方法において、
前記光学式シンボルを撮影し、前記光学式シンボルの画像データを得る工程と、
前記画像データ中から、切り出しマークを認識する工程と、
前記認識した切り出しマークから、前記画像データ中で基準座標を定める工程と、
前記基準座標に基づき、ファンクションセル群を読み取る工程と、
前記基準座標に基づき、データセル群を読み取る工程と、
前記読み取ったデータセル群データのデコードを行う工程と、
前記デコードを行った前記各データセル群のデータを統合する工程と、
を含むことを特徴とする光学式シンボルのデコード方法。